(57)【要約】【課題】      底部からの水漏れを防止し、優れた耐水性を有し、しかも運搬効率及び保管場所が少ない折り畳み可能な生鮮食料品等の包装に適した包装容器を得る。【解決手段】  段ボールシートと発泡ポリスチレンから構成される包装容器において、包装容器天面及び側面が段ボールシートからなり、容器底面が発泡ポリスチレン成形体からなり、容器側面部で前記発泡ポリスチレン成形体と段ボールシートが接合されてなる包装容器。前記発泡ポリスチレン成形体が矩形状の底面と側壁を有するトレー状の成形体であって、前記側壁の高さが、側壁の外側面で内側面の５ｍｍ以上高くなっている包装用容器。【選択図】    図２
2005231676.tif 000002
【特許請求の範囲】
【請求項１】
段ボールシートと発泡ポリスチレンから構成される包装容器において、包装容器天面及び側面が段ボールシートからなり、容器底面が発泡ポリスチレン成形体からなり、容器側面部で前記発泡ポリスチレン成形体と段ボールシートが接合されてなることを特徴とする包装容器。
【請求項２】
発泡ポリスチレン成形体が矩形状の底面と側壁を有するトレー状の成形体であって、前記側壁の高さが、側壁の外側面で内側面の５ｍｍ以上高くなっていることを特徴とする請求項１記載の包装用容器。
【請求項３】
段ボールシートと発泡ポリスチレン成形体との接合個所において、段ボールシートが貫通穴を有し、発泡ポリスチレン成形体が突起部を有し、前記貫通穴と突起部を組み合わせて接合されていることを特徴とする請求項1〜２のいずれかに記載の包装容器。
【請求項４】
包装容器の段ボールシートと発泡ポリスチレン成形体との接合された境界部分に、容器の側面外側よりテープが接着されていることを特徴とする請求項１〜３のいずれかに記載の包装容器。
【請求項５】
段ボールシートが耐水段ボールシート又は防湿段ボールシートのいずれかであることを特徴とする請求項１〜４のいずれかに記載の包装容器。
【発明の詳細な説明】
【技術分野】
【０００１】
本発明は、主として魚介類、青果物等の生鮮食料品を包装するのに用いられる包装容器であって、特に容器底部に優れた耐水性を必要とする容器に関する。
【背景技術】
【０００２】
従来、魚介類、青果物等の生鮮食料品等を包装する場合であって、特に内容物が多量の水分を含有するものや、保冷輸送時に多量の結露水が発生したり、さらに内容物が水と共に包装されるものを包装する場合には、主として水漏れの心配もなく、防湿性、耐水性には全く問題のない発泡ポリスチレンによる成形容器が多く使用されていた。
また、一部においては、特許文献１〜２に記載されたような耐水段ボール箱が使用されている。
【特許文献１】特開２０００−１４１５１８号公報
【特許文献２】特開２００１−２４６６７８号公報
【発明の開示】
【発明が解決しようとする課題】
【０００３】
しかし、発泡発泡ポリスチレンの成形容器は、段ボール箱のように折り畳むことができないため、運送効率が悪く、また保管スペースも多く必要とする問題が発生した。また、使用後に容器を廃棄処理する際にも焼却処分することができないなど、全体的にコストが高くなるという問題が発生した。
【０００４】
また、一部で使用されている耐水段ボール製の箱においては上記の問題は存在しないが、例えば通常の段ボール箱であるＡ式箱（ＪＩＳ  Ｚ１５０７  コード番号０２０１）では、底面フラップの継ぎ目等から水漏れが発生するために、底面にフラップや継ぎ目を作らずに、１枚のシートからいわゆる風呂敷状に容器の底面及び側面が構成された包装箱を製造する必要がある。
しかし、このような形状で段ボール箱は、段ボールシートの使用面積が極めて大きくなってしまい、コスト高になるばかりか、重量が非常に重くなってしまう。また箱の組立がも複雑になるという問題が存在する。
【課題を解決するための手段】
【０００５】
本発明は、上記課題を解決するために以下の方法をとる。
即ち、本発明は、段ボールシートと発泡ポリスチレンから構成される包装容器において、包装容器天面及び側面が段ボールシートからなり、容器底面が発泡ポリスチレン成形体からなり、容器側面部で前記発泡ポリスチレン成形体と段ボールシートが接合されてなる包装容器である。
【０００６】
本発明の第２は、発泡ポリスチレン成形体が矩形状の底面と側壁を有するトレー状の成形体であって、前記側壁の高さが、側壁の外側面で内側面の５ｍｍ以上高くなっている本発明の第１記載の包装用容器である。
【０００７】
本発明の第３は、段ボールシートと発泡ポリスチレン成形体との接合個所において、段ボールシートが貫通穴を有し、発泡ポリスチレン成形体が突起部を有し、前記貫通穴と突起部を組み合わせて接合されている本発明の1〜２のいずれかに記載の包装容器である。
【０００８】
本発明の第４は、包装容器の段ボールシートと発泡ポリスチレン成形体との接合された境界部分に、容器の側面外側よりテープが接着されている本発明の第１〜３のいずれかに記載の包装容器である。
【０００９】
本発明の第５は、段ボールシートがが耐水段ボールシート又は防湿段ボールシートのいずれかである本発明の第１〜４のいずれかに記載の包装容器である。
【発明の効果】
【００１０】
本発明によって、底部からの水漏れを防止し、優れた耐水性を有し、しかも運搬効率及び保管場所が少ない折り畳み可能な生鮮食料品等の包装に適した包装容器を得ることが可能となった。
【発明を実施するための最良の形態】
【００１１】
以下、本発明を実施例に基づいて説明する。
本発明の包装容器は、段ボールシートと発泡ポリスチレン成形体を組み合わせて構成されており、段ボールシートからなる天面及び側面と、矩形状態の底面及び側壁を有するトレー状の発泡ポリスチレン成形体からなる底部より構成されている（図１参照）。
天面及び側面を構成する段ボールシート部材は、通常のＡ式箱から底面フラップを除いたものであり、四方の側面及び天面を構成する外フラップ及び内フラップを有するもの（図面省略）が好適に用いられるが、底部を構成する発泡ポリスチレン成形体と接合できる形状であれば任意の形状のものが用いられる。
【００１２】
また、段ボールシート部材と成形体の接合方法としては、発泡ポリスチレン成形体の側壁部に段ボールシート厚さ分の溝部を設け、段ボールシート部材をはめ込んで接着する方法（図２）や、段ボールシートに貫通穴を設け、発泡ポリスチレン成形体側壁に突起部を設け、前記貫通穴に突起部をはめ込んで接合する方法（図３）がある。この場合、貫通穴に突起部をはめ込みやすいように、段ボールシートの貫通穴近くにスリットや罫線を予め設けておくことも可能である（図４）。また、この場合も接着剤を併用しておいてもよい。
【００１３】
発泡ポリスチレン成形体は、本願発明の包装容器の底部と側面の下部を構成するものである。側面の下部が発泡ポリスチレン成形体によって形成される。側面下部とは、具体的には容器底面から包装容器全体の高さに比して１／５〜３／５の高さであることが好ましい。このような高さの成形体を用いた場合、使用する発泡ポリスチレン成形体の体積は、箱全体を発泡ポリスチレンで製造した場合と比較して、１／５〜３／５に減少する。側面及び天面を構成する段ボールシート部材は、通常の段ボール箱同様に折り畳んで保管可能である。従って、包装容器は発泡ポリスチレン成形容器と比較して、非常にコンパクトに保管可能であって、運送効率は向上し、必要とする保管スペースも節約可能である。
なお、成形体の高さが、包装容器全体の高さの１／５未満である場合には、内容物から発生する水分、結露水が、ポリスチレン成形体の壁面の水位以上となってしまう恐れがあり、底面にポリスチレン成形体を用いた耐水効果が得られない場合がある。また３／５を越えた場合においては、成形体の大きさが大きくなってしまい、本願発明の運搬効率、保管効率が良好であるという効果が得にくくなる。
【００１４】
本発明においては、段ボールシート部材としては、一般の段ボールシートを使用してもよいが、必要に応じて水蒸気バリア性を有する段ボールシート、いわゆる防湿段ボールシートを使用することが可能である。防湿段ボールシートを使用することによって、包装容器内の湿度を９０〜１００％に保つことが可能であり、青果物等の鮮度保持等に有効である。
また、包装容器内の水分が多い場合、輸送中の振動等により、容器内部の水分が水飛沫等になって底部を構成するトレー状の発泡ポリスチレン成形体の側壁より高い部分の段ボールシート部分に飛散して容器強度が低下する場合がある。そのような場合、段ボールシート部材として、耐水性を有する段ボール原紙、及び耐水貼合接着剤等を使用して得た、いわゆる耐水段ボールシートを使用することで、強度低下を防ぐことが可能である。
なお、本発明で使用可能な防湿段ボールシートや、耐水段ボールシートとしては、通常、防湿段ボールシート、耐水段ボールシートとして製造、販売されている製品を必要に応じて任意に選択可能である。
上記防湿段ボールシートとしては、段ボールシートに任意の方法で防湿層を設けたものが好適に使用可能である。中でも、防湿性及びリサイクル性の面からスチレン−ブタジエンラテックス等の合成樹脂エマルジョンとフィロケイ酸塩化合物等の平板状顔料からなる防湿層を設けたものが好ましく用いられる。
また、耐水段ボールシートとしては、耐水化剤をパルプ原料に添加して抄造、もしくは段ボール原紙に塗布または含浸して得られた耐水ライナや耐水中芯原紙を貼合し、段ボールシート表面には、スチレン−ブタジエンラテックス等の合成樹脂エマルジョンと顔料からなる耐水層を設けたものがリサイクル性等の点から好ましい。
【００１５】
また、包装容器内の水分が、発泡ポリスチレン成形体と段ボールシートの接合部に浸入することで水漏れの心配が生じる場合がある。
その場合は、トレー状発泡ポリスチレン成形体の側壁の形状で側壁の内側面の高さと該側面の高さに差を設け、外側面側が内側面側より、５ｍｍ以上高くして設計することによって、接合部に浸入した水が外部へは漏れず内部へ戻る構造になるので望ましい。
なお、接合部分からの水漏れを防止するため、また両部材の接合強度を高めるため、段ボールシートと成形体との接合された境界部分を容器の側面外側よりテープ等を接着することがより望ましい。テープは、合成樹脂フィルム素材の粘着テープや、耐水化処理を施した紙素材の粘着テープ等が望ましく、状況に応じて任意に使用可能である。
【図面の簡単な説明】
【００１６】
【図１】実施例を示す斜視図である。
【図２】実施例の一部断面を示す斜視図である。
【図３】他の実施例の一部断面を示す斜視図である。
【図４】他の実施例の一部断面を示す斜視図である。
【符号の説明】
【００１７】
Ｐ：段ボールシート部材、Ｑ：発泡ポリスチレン成形体、１：内側面、２：外側面、３：突起部、４：罫線、５：スリット
【図１】
2005231676.tif 000003
【図２】
2005231676.tif 000004
【図３】
2005231676.tif 000005
【図４】
2005231676.tif 000006